(57)【要約】【課題】通院患者の生体情報を確実に記録して的確な治療が行なえるサービスを提供すること。【解決手段】サーバと、クライアントと、患者の個人情報が書き込まれたＩＣカードと、患者が自己の生体情報を測定してサーバに送信するのに用いる医療端末とを備え、医療端末は、ＩＣカードから患者の個人情報を読み込み、患者の生体情報を測定し、測定した生体情報を図表や文字等で表現されたものに加工し、測定した生体情報と加工した生体情報と患者の個人情報とをサーバに送信し、測定した生体情報と加工した生体情報とをＩＣカードに書き込み、サーバは、患者の個人情報と測定された生体情報と加工された生体情報とを受信して患者別に記録し、決められたスケジュール通りにそれら情報を送信しない患者に対して送信を促し、クライアントは、サーバに記録されている患者の測定された又は加工された生体情報をアクセスするのに用いられることを特徴とするシステム。【選択図】図１
2004062285.tif 000002
【特許請求の範囲】
【請求項１】
サーバと、クライアントと、患者の個人情報が書き込まれて患者に対して発行されるＩＣカードと、患者が自己の生体情報を測定してサーバに送信するのに用いられる医療端末とを備えるシステムであって、
医療端末は、ＩＣカードから患者の個人情報を読み込み、患者の生体情報を測定し、測定した生体情報を図表や文字等で表現されたものに加工し、測定した生体情報と加工した生体情報と患者の個人情報とをサーバに送信し、測定した生体情報と加工した生体情報とをＩＣカードに書き込み、
サーバは、医療端末から送信される、患者の個人情報と、測定された生体情報と、加工された生体情報とを受信して患者別に記録し、決められたスケジュール通りにそれら情報を送信しない患者に対して送信を促し、
クライアントは、サーバに記録されている患者の測定された又は加工された生体情報をアクセスするのに用いられることを特徴とする生体情報管理サービスシステム。
【請求項２】
患者の個人情報が書き込まれて患者に対して発行されるＩＣカードであって、患者が医療端末を用いて自己の生体情報を測定する際に、医療端末に患者の個人情報を読み取られ、測定された生体情報とその生体情報を図表や文字等で表現されたものとを書き込まれることを特徴とする生体情報管理サービス用ＩＣカード。
【請求項３】
サーバであって、
患者が自己の生体情報を測定してサーバに送信するのに用いられる医療端末から送信される、患者の個人情報と、測定された生体情報と、その生体情報を図表や文字等で表現されたものとを受信して患者別に記録し、
決められたスケジュール通りにそれら情報を送信しない患者に対して送信を促し、
記録されている患者の測定された生体情報又はその生体情報を図表や文字等で表現されたものをクライアントからアクセスさせることを特徴とする生体情報管理サービス用サーバ。
【請求項４】
サーバと、クライアントと、患者の個人情報が書き込まれて患者に対して発行されるＩＣカードと、患者が自己の生体情報を測定してサーバに送信するのに用いられる医療端末とを備えるシステムが実行する方法であって、
医療端末は、ＩＣカードから患者の個人情報を読み込み、患者の生体情報を測定し、測定した生体情報を図表や文字等で表現されたものに加工し、測定した生体情報と加工した生体情報と患者の個人情報とをサーバに送信し、測定した生体情報と加工した生体情報とをＩＣカードに書き込み、
サーバは、医療端末から送信される、患者の個人情報と、測定された生体情報と、加工された生体情報とを受信して患者別に記録し、決められたスケジュール通りにそれら情報を送信しない患者に対して送信を促し、
クライアントは、サーバに記録されている患者の測定された又は加工された生体情報をアクセスするのに用いられることを特徴とする生体情報管理サービス方法。
【請求項５】
ＩＣカードに対して実行される方法であって、
患者の個人情報が書き込まれて患者に対して発行され、
患者が医療端末を用いて自己の生体情報を測定する際に、医療端末に患者の個人情報を読み取られ、測定された生体情報とその生体情報を図表や文字等で表現されたものとを書き込まれることを特徴とする生体情報管理サービス方法。
【請求項６】
サーバが実行する方法であって、
患者が自己の生体情報を測定してサーバに送信するのに用いられる医療端末から送信される、患者の個人情報と、測定された生体情報と、その生体情報を図表や文字等で表現されたものとを受信して患者別に記録し、
決められたスケジュール通りにそれら情報を送信しない患者に対して送信を促し、
記録されている患者の測定された生体情報又はその生体情報を図表や文字等で表現されたものをクライアントからアクセスさせることを特徴とする生体情報管理サービス方法。
【発明の詳細な説明】
【０００１】
【発明の属する技術分野】
本発明は、生体情報管理サービスシステム、生体情報管理サービス用ＩＣカード、生体情報管理サービス用サーバ、及び生体情報管理サービス方法に関する。
【０００２】
【従来の技術】
通院患者の中には、自己の生体情報を、定期的に自身で記録し、診察の際に提出することが求められている人がいる。
【０００３】
例えば、通院の糖尿病患者の場合、病院から糖尿病手帳が配布される。患者は、自己の血糖値と血圧を定期的に自身で測定し、この手帳に測定値を記入してグラフを作成する。そして、診察の際に、この手帳を医師に見せる。
【０００４】
【発明が解決しようとする課題】
このように、患者の手作業で、生体情報の記録が行なわれる為、生体情報の記録間違い、記録忘れが発生する可能性が高く、また在宅療養の為、医師が、患者の生体情報をリアルタイムで把握することができなかった。
【０００５】
本発明は、このような問題を解決することを目指してなされたもので、通院患者の生体情報を確実に記録して的確な治療が行なえるサービスを提供することを課題とする。
【０００６】
【課題を解決するための手段】
本発明において上記の課題を達成するために、まず請求項１の発明では、サーバと、クライアントと、患者の個人情報が書き込まれて患者に対して発行されるＩＣカードと、患者が自己の生体情報を測定してサーバに送信するのに用いられる医療端末とを備えるシステムであって、
医療端末は、ＩＣカードから患者の個人情報を読み込み、患者の生体情報を測定し、測定した生体情報を図表や文字等で表現されたものに加工し、測定した生体情報と加工した生体情報と患者の個人情報とをサーバに送信し、測定した生体情報と加工した生体情報とをＩＣカードに書き込み、
サーバは、医療端末から送信される、患者の個人情報と、測定された生体情報と、加工された生体情報とを受信して患者別に記録し、決められたスケジュール通りにそれら情報を送信しない患者に対して送信を促し、
クライアントは、サーバに記録されている患者の測定された又は加工された生体情報をアクセスするのに用いられることを特徴とする生体情報管理サービスシステムとしたものである。
【０００７】
また請求項２の発明では、患者の個人情報が書き込まれて患者に対して発行されるＩＣカードであって、
患者が医療端末を用いて自己の生体情報を測定する際に、医療端末に患者の個人情報を読み取られ、測定された生体情報とその生体情報を図表や文字等で表現されたものとを書き込まれることを特徴とする生体情報管理サービス用ＩＣカードとしたものである。
【０００８】
また請求項３の発明では、サーバであって、
患者が自己の生体情報を測定してサーバに送信するのに用いられる医療端末から送信される、患者の個人情報と、測定された生体情報と、その生体情報を図表や文字等で表現されたものとを受信して患者別に記録し、
決められたスケジュール通りにそれら情報を送信しない患者に対して送信を促し、
記録されている患者の測定された生体情報又はその生体情報を図表や文字等で表現されたものをクライアントからアクセスさせることを特徴とする生体情報管理サービス用サーバとしたものである。
【０００９】
また請求項４の発明では、サーバと、クライアントと、患者の個人情報が書き込まれて患者に対して発行されるＩＣカードと、患者が自己の生体情報を測定してサーバに送信するのに用いられる医療端末とを備えるシステムが実行する方法であって、
医療端末は、ＩＣカードから患者の個人情報を読み込み、患者の生体情報を測定し、測定した生体情報を図表や文字等で表現されたものに加工し、測定した生体情報と加工した生体情報と患者の個人情報とをサーバに送信し、測定した生体情報と加工した生体情報とをＩＣカードに書き込み、
サーバは、医療端末から送信される、患者の個人情報と、測定された生体情報と、加工された生体情報とを受信して患者別に記録し、決められたスケジュール通りにそれら情報を送信しない患者に対して送信を促し、
クライアントは、サーバに記録されている患者の測定された又は加工された生体情報をアクセスするのに用いられることを特徴とする生体情報管理サービス方法としたものである。
【００１０】
また請求項５の発明では、ＩＣカードに対して実行される方法であって、
患者の個人情報が書き込まれて患者に対して発行され、
患者が医療端末を用いて自己の生体情報を測定する際に、医療端末に患者の個人情報を読み取られ、測定された生体情報とその生体情報を図表や文字等で表現されたものとを書き込まれることを特徴とする生体情報管理サービス方法。
【００１１】
また請求項６の発明では、サーバが実行する方法であって、
患者が自己の生体情報を測定してサーバに送信するのに用いられる医療端末から送信される、患者の個人情報と、測定された生体情報と、その生体情報を図表や文字等で表現されたものとを受信して患者別に記録し、
決められたスケジュール通りにそれら情報を送信しない患者に対して送信を促し、
記録されている患者の測定された生体情報又はその生体情報を図表や文字等で表現されたものをクライアントからアクセスさせることを特徴とする生体情報管理サービス方法としたものである。
【００１２】
【発明の実施の形態】
以下に、本発明の一実施形態を説明する。
【００１３】
１．構成
本発明システムは、図１に例示するように、少なくとも、ＩＣカード１と、医療端末２と、サーバ４と、クライアント５とを備える。
【００１４】
ＩＣカード１は、患者に対して病院が発行するものである。ＩＣカードには、サーバ４へのアクセス権の記録がなされており、また、医療端末２で得られた情報を記録するエリアがある。
【００１５】
医療端末２は、患者に対して病院が貸与するか、或いは患者自身が購入したものである。医療端末２は、患者の生体情報を測定する機能と、測定された生体情報を図表や文字等で表現されたものに加工する機能と、図表や文字等で表現された生体情報を表示する機能と、ＩＣカード１に対して読書きする機能と、サーバ４との間で情報（データ）通信をする機能とを有する。
図１の例では、医療端末２は、外部の携帯電話機又は電話機３を経由して、サーバ４との間で情報（データ）通信を行なっている。もちろん、医療端末２自身が、携帯電話機又は電話機３を内蔵しても良い。
【００１６】
サーバ４は、第三者のサービス会社によって運用される。サーバ４は、医療端末２との間で情報（データ）通信を行なう機能と、クライアント５との間で情報（データ）通信を行なう機能とを有する。
【００１７】
病院は、クライアント５を所持する。患者も、クライアント５を所持しても良い。クライアント５は、パソコンなどのコンピュータであって、サーバ４との間で情報（データ）通信を行なう機能と、ＩＣカード１に対して読書きする機能とを有する。
【００１８】
２．サービス
ここでは、本発明システムよって提供されるサービスを、以下に説明する。
【００１９】
病院は、外来患者に対してＩＣカード１を発行する。発行する際、病院は、患者の個人情報を、ＩＣカード１に書き込む。この個人情報には、個人を識別する個人識別情報が含まれる。また、医療端末２の測定条件を書き込んでも良い。これらの書き込みは、クライアント５によって行なっても良い。
また病院は、患者に、医療端末２を貸し出すか、或いは購入してもらう。
また病院は、医療端末２で生体情報を測定する患者のスケジュールを、クライアント５に入力し、サーバ４に送信する。
【００２０】
患者は、決められたスケジュールに従って、自宅や勤務先など都合の良い所で、医療端末２を用いて、自己の生体情報を測定する。その時、医療端末２は、ＩＣカード１から患者の個人情報を読み込む。また、医療端末２は、ＩＣカード１から測定条件を読み込み、この測定条件に従って、患者の生体情報を測定しても良い。
医療端末２は、測定した生体情報を図表や文字等で表現されたものに加工し、測定した生体情報と、加工された生体情報とをＩＣカード１に書き込む。また、医療端末２は、患者の個人情報と、測定した生体情報と、加工された生体情報とを、サーバ４に送信する。
【００２１】
サーバ４は、送信されて来た、患者の個人情報と、測定された生体情報と、加工された生体情報とを、患者別に記録する。
また、サーバ４は、決められたスケジュールに従って患者から生体情報が送信されているか否かをチェックし、未送信者に送信を促す。例えば、サーバ４は、未送信者に送信を促す情報を、医療端末２に表示させる。また例えば、図１に例示するように、医療端末２が、携帯電話機又は電話機３を経由して、サーバ４と情報（データ）通信を行なう場合、サーバ４は、未送信者の携帯電話機又は電話機３に、送信を促す電話を掛ける。
【００２２】
病院は、クライアント５からサーバ４にアクセスし、加工された生体情報を入手して、外来患者を治療する。
【００２３】
３．その他
患者は、医療端末２、病院又は個人のクライアント５で、ＩＣカード１の個人情報を読み取ることにより、サーバ４にアクセスし、自分の加工された生体情報を知ることができる。
また、患者は、個人のクライアント５で、直接ＩＣカード１に記録されている情報を読み込んで、この情報を知ることができる。
【００２４】
ＩＣカード１に、患者の個人情報、サーバー４へのアクセス権の記録があるので、旅行や出張或いは引越等の事情で掛り付けの病院に通えなくなった場合でも、同サービスを利用している他の病院にＩＣカード１を持参すれば、この病院は、サーバ４にアクセスでき、記録されている生体情報を治療に生かすことができる。
【００２５】
また、医療端末２からサーバ４に生体情報を送信することができない場合があっても、ＩＣカード１を病院に持参することにより、ＩＣカード１から生体情報を得ることができ、同様に正確な治療を受けることができる。
【００２６】
【発明の効果】
本発明によって、患者は、自己の生体情報を測定するだけで、測定した生体情報が図表や文字等で表現されたものに加工され、測定した生体情報と共に加工された生体情報がサーバに送信されて記録される。また、患者が自己の生体情報を測定し忘れると、サーバから送信を促される。さらに、医師は、クライアントからサーバにアクセスすることにより、患者の生体情報をリアルタイムに把握することができる。
【００２７】
従って、本発明は、通院患者の生体情報を確実に記録して的確な治療が行なえるサービスを提供できる。
【００２８】
またＩＣカードを介在させることにより、高齢者等にハードルの高いデータ送信等の作業をさせることなくとも、通院時に医師に、ＩＣカードを手渡すことなどにより、正確な情報を医師と患者が共有でき、より精度の高い治療・指導に役立てることができる。
【図面の簡単な説明】
【図１】本発明システムの構成例を示す図。
【符号の説明】
１…ＩＣカード
２…医療端末
３…携帯電話機又は電話機
４…サーバ
５…クライアント
【図１】
2004062285.tif 000003